(57)【要約】携帯電話（１０）のケースの開閉は開閉検出スイッチ（５０）により検出され、この開閉検出スイッチ（５０）によりケースの開放が検出された際には、第１のタイマー時間が設定された第１のタイマー（３０）の起動が開始され、ケースの折り畳みが検出された際には、タイマー時間が第１のタイマー時間よりも長い時間である第２のタイマー時間が設定された第２のタイマー（４０）の起動が開始される。
2004110032.tif 000002
【特許請求の範囲】
【請求項１】
第１筐体と第２筐体とがヒンジを介して回動可能に連結されるとともに、当該第１筐体と第２筐体との開閉により折り畳みが自在な携帯型端末装置であって、
前記第１筺体と第２筐体との開閉状態をそれぞれ検出する開閉検出手段と、
前記第１筺体と第２筺体との開放時間である第１のタイマー時間が設定された第１のタイマーと、
前記第１筺体と第２筺体との折り畳み時間である第２のタイマー時間が設定された第２のタイマーとを備え、
前記開閉検出手段による検出結果に基づいて、前記第１のタイマーまたは第２のタイマーのいずれかの起動がおこなわれることを特徴とする携帯端末装置。
【請求項２】
前記開閉検出手段により、前記第１筺体と第２筺体との開放が検出された際には、第１のタイマー時間が設定された第１のタイマーの起動が開始し、前記第１筺体と第２筺体との折り畳みが検出された際には、第２のタイマー時間が設定された第２のタイマーの起動が開始することを特徴とする請求の範囲第１項に記載の携帯端末装置。
【請求項３】
前記第１のタイマーにより設定された第１のタイマー時間と第２のタイマーにより設定された第２のタイマー時間とは、それぞれ異なる時間となるように設定されていることを特徴とする請求の範囲第１項または第２項に記載の携帯端末装置。
【請求項４】
前記第１のタイマーにより設定された第１のタイマー時間は、第２のタイマーにより設定された第２のタイマー時間よりも短く設定されていることを特徴とする請求の範囲１または第２項に記載の携帯端末装置。
【請求項５】
第１筐体と第２筐体とがヒンジを介して回動可能に連結されるとともに、当該第１筐体と第２筐体との開閉により折り畳みが自在な携帯型端末装置であって、
前記第１の筺体と第２の筐体との開閉状態をそれぞれ検出する開閉検出手段と、
前記第１筺体と第２筺体との開放時間である第１のタイマー時間が設定された第１のタイマーと、前記第１筺体と第２筺体との折り畳み時間である第２のタイマー時間が設定された第２のタイマーと、
前記開閉検出手段による検出結果に基づいて、前記第１のタイマーの起動を制御する第１のタイマー起動制御部と、
前記第２のタイマーの起動を制御する第２のタイマー起動制御部と、
第１のタイマー時間のタイムアップを判定する第１のタイマー時間判定部と、
第２のタイマー時間のタイムアップを判定する第２のタイマー時間判定部と、
前記第１のタイマーまたは第２のタイマーの起動後に、前記開閉検出手段による検出結果を判定する開閉判定手段と、
を備えることを特徴とする携帯端末装置。
【請求項６】
前記開閉判定手段による判定結果に基づいて所定のアプリケーションに対する実行通知をおこなうアプリケーション実行通知手段をさらに備えることを特徴とする請求の範囲第５項に記載の携帯端末装置。
【請求項７】
前記第１のタイマーにより設定された第１のタイマー時間と第２のタイマーにより設定された第２のタイマー時間とは、それぞれ異なる時間となるように設定されていることを特徴とする請求の範囲第５項または第６項に記載の携帯端末装置。
【請求項８】
前記第１のタイマーにより設定された第１のタイマー時間は、第２のタイマーにより設定された第２のタイマー時間よりも短く設定されていることを特徴とする請求の範囲第５項または第６項に記載の携帯端末装置。
【請求項９】
第１筐体と第２筐体とがヒンジを介して回動可能に連結されるとともに、当該第１筐体と第２筐体との開閉により折り畳みが自在な携帯型端末装置のアプリケーション実行通知方法であって、
前記第１の筺体と第２の筐体との開閉状態をそれぞれ検出する開閉検出工程と、
前記第１筺体と第２筺体との開放時間である第１のタイマー時間が設定された第１のタイマーを起動する第１のタイマー起動制御工程と、
前記第１筺体と第２筺体との折り畳み時間である第２のタイマー時間が設定された第２のタイマーを起動する第２のタイマー起動制御工程と、
前記第１のタイマー時間のタイムアップを判定する第１のタイマー時間判定工程と、
第２のタイマー時間のタイムアップを判定する第２のタイマー時間判定工程と、
前記第１のタイマーまたは第２のタイマーの起動後に、前記開閉検出工程による検出結果を判定する開閉判定工程と、
前記開閉判定工程による検出結果に基づいて所定のアプリケーションに対する実行通知をおこなうアプリケーション実行通知工程とを備えることを特徴とする携帯端末装置のアプリケーション実行通知方法。
【請求項１０】
第１筐体と第２筐体とがヒンジを介して回動可能に連結されるとともに、当該第１筐体と第２筐体との開閉により折り畳みが自在な携帯型端末装置のアプリケーション実行通知プログラムであって、
前記第１の筺体と第２の筐体との開閉状態をそれぞれ検出する開閉検出手順と、
前記第１筺体と第２筺体との開放時間である第１のタイマー時間が設定された第１のタイマーを起動する第１のタイマー起動制御手順と、前記第１筺体と第２筺体との折り畳み時間である第２のタイマー時間が設定された第２のタイマーを起動する第２のタイマー起動制御手順と、
前記第１のタイマー時間のタイムアップを判定する第１のタイマー時間判定手順と第２のタイマー時間のタイムアップを判定する第２のタイマー時間判定手順と、
前記第１のタイマーまたは第２のタイマーの起動後に、前記開閉検出手順による検出結果を判定する開閉判定手順と、
前記開閉判定手順による判定結果に基づいて所定のアプリケーションに対する実行通知をおこなうアプリケーション実行通知手順を備えることを特徴とする携帯端末装置のアプリケーション実行通知プログラム。
【発明の詳細な説明】
【技術分野】  この発明は、携帯時に折り畳み可能な携帯型端末装置に関し、特に、折り畳み自在な携帯型端末装置のケースを開けた際に、表示部などのアプリケーションの起動（表示）を即座におこなうことができる携帯型端末装置、携帯型端末装置におけるアプリケーション実行通知方法およびアプリケーション実行通知プログラムに関するものである。
【背景技術】  近年では、携帯性をより向上させた携帯型端末装置として、一対（上下）の筐体をヒンジを介して開閉自在に連結することにより、展開および折り畳み（開け閉め）を可能にした折り畳み型の携帯電話が広く普及している（以下、折り畳み型の携帯電話を適宜「携帯電話」と略称する。）。
この種の従来の携帯電話では、一方（上蓋）の筐体側に表示部が設けられ、他方（下蓋）の筐体側に入力キーやテンキーなどの操作部が設けられている。このように講成された携帯電話の使用時には、携帯電話の上蓋（ケース）を開けることにより、表示部に表示された表示内容や情報を見ながら、操作部の入力キーを押下することなどで通話やメール通信などに関わる操作をおこなうことができる。
通常、上述したような携帯電話の場合、この携帯電話の開閉状態（展開状態と折り畳み状態）を検出するための開閉検出スイッチが設けられており、この開閉検出スイッチによる検出信号（ＯＮ／ＯＦＦ）に基づいて、上蓋と下蓋（ケース）との開け閉めの判定をおこなうとともに、それぞれの開閉タイミングでアプリケーションに対する通知（実行／停止）をおこなっている。
具体的には、ケースを開けた時に表示部の表示がおこなわれ（バックライトが点灯）、このケースを閉めた時には、表示部の表示が消灯（バックライトが消灯）するなどアプリケーションの実行制御がおこなわれている（例えば、特許文献１、２）。
ここで、例えば、携帯電話の使用者がケースの開閉を繰り返した場合、この繰り返しに伴う開閉検出スイッチのＯＮ／ＯＦＦ（チャタリング）の影響により開閉検出スイッチによる信号の検出が不安定となってしまうという問題があった。
このため、従来では、上述したチャタリング時間を考慮すべくケースの開放時および折り畳み時に作動するタイマーを設けるとともに、このタイマーにより設定された一定のタイマー時間に基づいて、ケースの開放および折り畳みの制御がおこなわれていた。具体的に説明すると、ケースを開けた際には、設定された所定のタイマー時間が経過するまでは、ケースの開放であると判断されず上記タイマー時間が経過後に、ケースの開放を判断する制御をおこなっている。
【特許文献１】特開２００２−３２０００６
【特許文献２】特開平１１−３５３２８３
しかしながら、上述した従来の携帯電話の場合には、以下のような問題点がある。すなわち、従来ではケース開放時のタイマー時間と折り畳み時のタイマー時間とは一定時間（同一）に設定されているうえ、このタイマー時間は、ケースを開けたときにアプリケーション（表示部の点灯やテンキーの押下など）の反応が早くなるように、比較的短い時間に設定されている。このため、携帯電話におけるメモリ内の処理スタックがオーバーフローしてしまうなどの不具合が生じる原因となる。
以上のように、ケース開閉時のタイマー時間を、使用者を優先し、短い時間に設定した場合には、表示部の点灯などの反応を早くすることはできるが、メモリ内に処理スタックが溜まるなどの問題が生じてしまう。この一方、タイマー時間を長く設定した場合には、メモリ内に処理スタックが溜まるなどの問題は解決されるが、反面、使用者が携帯電話を開けた際に表示部の表示が出るまでに時間が掛かってしまい、違和感が生じるなどの問題がある。
そこで、この発明は、上述した従来技術による問題点を解消するためになされたものであり、携帯電話のケースを開けた際には、表示部などのアプリケーションの起動を即座におこなえるとともに、ケースを閉めた際には、アプリケーションの終了を確実におこなうことができる携帯端末装置、携帯端末装置におけるアプリケーション実行通知方法およびアプリケーション実行プログラムを提供することを目的としている。
【発明の開示】
上述した問題を解決し、目的を達成するため、本発明は、第１筐体と第２筐体とがヒンジを介して回動可能に連結されるとともに、当該第１筐体と第２筐体との開閉により折り畳みが自在な携帯型端末装置であって、前記第１筺体と第２筐体との開閉状態をそれぞれ検出する開閉検出手段と、前記第１筺体と第２筺体との開放時間である第１のタイマー時間が設定された第１のタイマーと、前記第１筺体と第２筺体との折り畳み時間である第２のタイマー時間が設定された第２のタイマーとを備え、前記開閉検出手段による検出結果に基づいて、前記第１のタイマーまたは第２のタイマーのいずれかの起動がおこなわれることを特徴とする。
また、本発明は、第１筐体と第２筐体とがヒンジを介して回動可能に連結されるとともに、当該第１筐体と第２筐体との開閉により折り畳みが自在な携帯型端末装置のアプリケーション実行通知方法であって、前記第１の筺体と第２の筐体との開閉状態をそれぞれ検出する開閉検出工程と、前記第１筺体と第２筺体との開放時間である第１のタイマー時間が設定された第１のタイマーを起動する第１のタイマー起動制御工程と、前記第１筺体と第２筺体との折り畳み時間である第２のタイマー時間が設定された第２のタイマーを起動する第２のタイマー起動制御工程と、前記第１のタイマー時間のタイムアップを判定する第１のタイマー時間判定工程と、第２のタイマー時間のタイムアップを判定する第２のタイマー時間判定工程と、前記第１のタイマーまたは第２のタイマーの起動後に、前記開閉検出工程による検出結果を判定する開閉判定工程と、前記開閉判定工程による判定結果に基づいて所定のアプリケーションに対する実行通知をおこなうアプリケーション実行通知工程とを備えることを特徴とする。
また、本発明は、第１筐体と第２筐体とがヒンジを介して回動可能に連結されるとともに、当該第１筐体と第２筐体との開閉により折り畳みが自在な携帯型端末装置のアプリケーション実行通知プログラムであって、前記第１の筺体と第２の筐体との開閉状態をそれぞれ検出する開閉検出手順と、前記第１筺体と第２筺体との開放時間である第１のタイマー時間が設定された第１のタイマーを起動する第１のタイマー起動制御手順と、前記第１筺体と第２筺体との折り畳み時間である第２のタイマー時間が設定された第２のタイマーを起動する第２のタイマー起動制御手順と、前記第１のタイマー時間のタイムアップを判定する第１のタイマー時間判定手順と、第２のタイマー時間のタイムアップを判定する第２のタイマー時間判定手順と、前記第１のタイマーまたは第２のタイマーの起動後に、前記開閉検出手順による検出結果を判定する開閉判定手順と、前記開閉判定手順による判定結果に基づいて所定のアプリケーションに対する実行通知をおこなうアプリケーション実行通知手順とを備えることことを特徴とする。
かかる発明によれば、前記開閉検出手段により、前記第１筺体と第２筺体との開放が検出された際には、第１のタイマー時間が設定された第１のタイマーの起動が開始し、前記第１筺体と第２筺体との折り畳みが検出された際には、第２のタイマー時間が設定された第２のタイマーの起動が開始するので、携帯電話のケースを開けた際には、表示部などのアプリケーションの起動を即座におこなうことにより、もって使用者の利便性を向上することができるうえ、ケースを折り畳んだ際には、第１のタイマー時間よりも長く設定された第２のタイマー時間により表示部などのアプリケーションの終了を確実におこなうことにより、システム全体の安定および信頼性の向上を図ることができる。
【図面の簡単な説明】  第１図は、本実施の形態に係る携帯型端末装置の構成を示す機能ブロック図であり、第２図は、携帯型端末装置におけるアプリケーション実行通知方法の全体処理手順を示すフローチャートであり、第３図は、携帯型端末装置におけるアプリケーション実行通知方法の処理手順を詳細に示すフローチャートであり、第４図は、本実施の形態に係るコンピュータシステムの構成を示すシステム構成図であり、第５図は、第４図に示したコンピュータシステムにおける本体部の構成を示すブロック図である。
【発明を実施するための最良の形態】  以下に添付図面を参照して、この発明に係る携帯型端末装置、携帯型端末装置におけるアプリケーション実行通知方法およびアプリケーション実行通知プログラムの好適な実施の形態を詳細に説明する。なお、以下では、本実施の形態に係る携帯型端末装置の概要および特徴を説明した後に、この携帯型端末装置の構成および処理手順を説明することとする。まず最初に、本実施の形態に係る携帯型端末装置の概要および特徴を説明する。第１図は、本実施の形態に係る携帯型端末装置の内部構成を示すブロック図である。以下、本例では、携帯端末装置として携帯電話を適用するものとして説明する。
同図に示す携帯電話１０は、表示部６０などを有する上部本体（上蓋）と、テンキー６２などの操作部を有する下部本体（下蓋）とがヒンジ機構を介して回動自在に連結されている。これにより、この携帯電話１０は、ヒンジ機構を中心として、上部本体と下部本体とを相互に折り畳むことができるようになっており、通常の携帯時は、折り畳んだ状態で持ち歩くことができ、使用時には上蓋を開けることにより表示部６０とテンキー６２（操作部）とを使用することにより電子メールの送受信や通話をおこなうことができる。
そして、この携帯電話は、ケース（上蓋）の開放時間である第１のタイマー時間が設定された第１のタイマーと、ケースの折り畳み時間である第２のタイマー時間が設定された第２のタイマーとを備えるとともに、ケースの開放が検出された際には、第１のタイマー時間が設定された第１のタイマーの起動が開始し、ケースの折り畳みが検出された際には、第２のタイマー時間が設定された第２のタイマーの起動をおこなうことに特徴があり、具体的には、ケースを開けた際には、表示部などのアプリケーションの起動を即座におこない、ケースを折り畳んだ際には、第１のタイマー時間よりも長く設定された第２のタイマー時間に基づいて表示部などのアプリケーションの終了を確実におこなうことにより、システム全体の安定性を確実にした点にある。
次に、本実施の形態に係る携帯電話１０の構成について説明する。第１図に示すように、この携帯電話１０は、制御部２０、第１のタイマー３０、第２のタイマー４０、開閉検出スイッチ５０、開閉検出制御部５１、表示部（ＬＣＤ）６０、表示制御部６１、テンキー６２、受話器７０、送信器８０、無線部９０、アンテナ９１とが設けられている。制御部２０は、第１のタイマー起動制御部２１、第２のタイマー起動制御部２２、第１のタイマー時間判定部２３、第２のタイマー時間判定部２４、開閉検出判定部２５、アプリケーション実行通知部２６とを備えている。
開閉検出スイッチ５０は、携帯電話１０のケースの開閉を検出する機能を有する。開閉検出制御部５０は、開閉検出スイッチ５０により検出された検出信号による検出結果に応じた検出信号を制御部２０に対して送信する機能を有する。
第１のタイマー３０は、ケースの開放時間を第１のタイマー時間に基づいて制御する機能を有している。第２のタイマー４０は、第２のタイマー時間に基づいてケースの折り畳み時間を制御する機能を有する。
第１のタイマー起動制御部２１は、開閉検出スイッチ５０によりケースの開放が検出された際に、第１のタイマー３０の起動をおこなう機能を有する。第２のタイマー起動制御部２２は、開閉検出スイッチ５０によりケースの折り畳みが検出された際に、第２のタイマー４０の起動をおこなう機能を有している。第１タイマー時間判定部２３は、第１のタイマー３０により設定された第１のタイマー時間が経過したか否かを判定する機能を有する。
第２のタイマー時間判定部２４は、第２のタイマー４０により設定された第２のタイマー時間が経過したか否かを判定する機能を有している。開閉検出判定部２５は、開閉検出スイッチ５０により検出された検出結果（ＯＮ／ＯＦＦ）に基づいてケースの開閉を判定する機能を有する。
アプリケーション実行通知部２６は、所定のアプリケーションに対しての実行を通知する機能を有している。後述するように、本例では、例えば、第１のタイマー３０の起動により第１のタイマー時間が経過した後、ケースの開放状態に変化がない場合は、所定のアプリケーションに対して実行通知がなされる。
受話器７０は、音声受信用のスピーカとして、送信器８０は、音声送信用のマイクとして機能する。無線部９０は、アンテナ９１を介して受信した無線信号の復調などをおこない受話器７０から音声信号を発生させる機能および送信器８０から入力された音声を無線信号に変換し、アンテナ９１を介して送信する機能を有する。
表示装置６０（ＬＣＤ）は、通信情報などのデータを表示する機能を有しており、この表示部６０は、背面に装着されたバックライトなどの光源により表示される。表示制御部６１は、表示部６０の点灯および消灯を制御する機能を有している。テンキー２７は、電話番号その他のデータを入力する機能を有する。
第２図は、本発明の携帯型端末装置におけるアプリケーション実行通知方法による基本制御手順を説明するフローチャートである。すなわち、本発明のアプリケーション実行通知方法による処理手順は、大別して（１）ケース開閉検出工程（ステップＳ２００）、（２）第１、２のタイマー起動工程（ステップＳ２１０）、（３）第１、２のタイマー時間判定工程（ステップＳ２２０）、（４）ケース開閉検出判定工程（ステップＳ２３０）、（５）アプリケーション実行通知工程（ステップＳ２４０）の５つの処理工程により構成されている。先ず、これら（１）〜（５）の各制御工程について説明する。
（１）ケース開閉検出工程は、ケースの開閉を開閉検出スイッチ５０による検出結果に基づいて、ケースが開いているか折り畳まれた状態であるかを検出する工程である。
（２）第１、２のタイマー起動工程は、ケース開閉検出工程により、検出された検出結果に基づいて、第１のタイマーまたは第２のタイマーのうちいずれかのタイマーを起動させる処理工程である。具体的には、ケース開閉検出工程によりケースの開放を検出した際には、第１のタイマーの起動がおこなわれ、ケースの折り畳みを検出した際には、第２のタイマーの起動がおこなわれる。
（３）第１、２のタイマー時間判定工程は、第１、２のタイマー起動工程により起動された第１、２のタイマー時間がそれぞれタイムアップしたことを判定する処理工程である。本例では、後述するように、第１のタイマー時間と第２のタイマー時間とは、それぞれ異なる時間となるように設定されている。
（４）ケース開閉検出判定工程は、第１、２のタイマー時間判定工程により所定のタイマー時間が経過した後、再度、開閉検出スイッチ５０により、ケースの開閉があるか否かを判定する処理工程である。
（５）アプリケーション実行通知工程は、ケース開閉検出判定工程によりケースの開閉に変化がない際に、所定のアプリケーションに対しての実行通知をおこなう処理工程である。
次に、本実施の形態に係る携帯型端末装置の処理手順について詳細に説明する。第３図は、本実施の形態に係る携帯型端末装置によるアプリケーション実行通知処理の手順を示すフローチャートである。ここで、以下の説明では、携帯電話１０のケースを開けた際には、開閉検出スイッチ５０による検出信号がＯＮとなり、反対にケースを閉めた際には、検出信号がＯＦＦとなるものとして説明する。
すなわち、第３図のフローチャートに示すように、先ず、開閉検出スイッチ５０による信号の受信をおこない（ステップＳ３００）、この開閉検出スイッチ５０による信号に変化があるか否かの判定により（ステップＳ３１０）、信号に変化がある場合（ステップＳ３１０肯定）、次の、ステップＳ３２０によるケースが開けられたか否かの判定に移行する。
そして、このステップＳ３２０の判定によりケースが開けられたと判定された場合には（ステップＳ３２０肯定）、第１のタイマー３０の起動を開始する（ステップＳ３３０）。この第１のタイマー３０には、予め第１のタイマー時間（例えば、６０ｍＳ程度）が設定されている。第１のタイマー３０により設定された第１のタイマー時間とは、ケースを開けた際に、第１のタイマーによりアプリケーションを起動させるための通知を送信するまでの時間として設定されている。
一方、ステップＳ３２０の判定によりケースが閉められたと判定された場合には（ステップＳ３２０否定）、第２のタイマー４０の起動を開始する（ステップＳ３４０）。この第２のタイマー４０には、予め第２のタイマー時間（例えば、２００ｍＳ〜５００ｍＳ程度）が設定されている。第２のタイマー４０により設定された第２のタイマー時間とは、ケースを閉めた際に、第２のタイマー４０によりアプリケーションを終了させるための通知を送信するまでの時間として設定されている。
ここで、以下のフローチャートに基づく説明では、ケースが開けられた時の処理について説明する。第３図のフローチャートに戻り、ステップＳ３３０により第１タイマー３０の起動が開始されると、次に、ステップＳ３５０により第１のタイマー時間が経過するまでの待機をおこなう（タイムアップの待期）。
そして、ステップＳ３６０による判定により、再度、開閉検出スイッチ５０による信号の変化を検出する。具体的には、開閉検出スイッチ５０による信号の変化がなしの場合には（ステップＳ３６０肯定）、ケースの状態変化を有効とし（本例では、ケースが開いている状態）、所定のアプリケーションに対する通知をおこなう（ステップＳ３７０）。具体的に説明すると、アプリケーションが表示部６０であるとすると、本例では、ケースが開いている状態では、即時（６０ｍＳ程度）に表示部６０による表示の点灯がおこなわれるものとなる。
この一方、ステップＳ３６０の判定により開閉状態に変化がある場合（ステップＳ３６０否定）、前記ステップＳ３２０の処理に戻り、このステップＳ３２０からの処理をおこなう。
以上のように、本実施の形態の場合、携帯電話１０は、この携帯電話１０を構成するケース（上蓋）の開放を検出した際には、第１のタイマー時間が設定された第１のタイマー３０が起動し、この一方、ケースの折り畳みを検出した際には、第２のタイマー時間が設定された第２のタイマー４０が起動する。これら第１のタイマー３０および第２のタイマー４０は、それぞれタイマー時間が異なるように設定されており、本例では、第１のタイマー時間は、第２のタイマー時間よりも短かい時間に設定されている。
また、ケースの開閉は、開閉検出スイッチ５０による検出結果に基づいておこなわれる。第１のタイマー時間または第２のタイマー時間の経過後には、所定のアプリケーションに対する実行通知がなされる。ここで、所定のアプリケーションを表示部６０とした場合に、ケースの開放が開閉検出スイッチ５０により検出され、第１のタイマー時間の経過後には、表示部６０の表示がおこなわれるものとなる。
一方、ケースの折り畳みが開閉検出スイッチ５０により検出され、第２のタイマー時間の経過後には、表示部６０の表示が消灯されるものとなる。ここで、本例においては、前述したように、第１のタイマー時間は、第２のタイマー時間よりも短かい時間に設定されているため、ケースの開放にともない表示部６０の表示は即座におこなわれることから、ケースを開けた時に、表示部６０の点灯が遅れるなどの違和感を防止するとともに、使用者にとっての利便性を向上することができる。
そして、第１のタイマー時間よりも、比較的長い時間に設定された第２のタイマー時間により、ケースの折り畳み時には、表示部６０の消灯は即座ではなく、比較的遅くおこなわれるものとなる。これにより、表示部６０などのアプリケーションの終了を確実におこなうことができる。例えば、携帯電話の使用者がケースを閉じた後、急にケースを開けた場合にも、表示部６０は消灯していないため、違和感を感じることなく、携帯電話による操作を継続しておこなうことができる。
ところで、上述した携帯型端末装置およびアプリケーション実行通知方法は、あらかじめ用意されたプログラムをパーソナル・コンピュータやワークステーションなどのコンピュータシステムで実行することによって実現することができる。
第４図は、本実施の形態に係るコンピュータシステムの構成を示すシステム構成図であり、第５図は、第４図に示したコンピュータシステムにおける本体部の構成を示すブロック図である。
第４図に示すように、本実施の形態に係るコンピュータシステム１００は、本体部１０１と、本体部１０１からの指示によって表示画面１０２ａに画像などの情報を表示するためのディスプレイ１０２と、このコンピュータシステム１００に種々の情報を入力するためのキーボード１０３と、ディスプレイ１０２の表示画面１０２ａ上の任意の位置を指定するためのマウス１０４とを備える。
また、このコンピュータシステム１００における本体部１０１は、第５図に示すように、ＣＰＵ１２１と、ＲＡＭ１２２と、ＲＯＭ１２３と、ハードディスクドライブ（ＨＤＤ）１２４と、ＣＤ−ＲＯＭ１０９を受け入れるＣＤ−ＲＯＭドライブ１２５と、フレキシブルディスク（ＦＤ）１０８を受け入れるＦＤドライブ１２６と、ディスプレイ１０２、キーボード１０３並びにマウス１０４を接続するＩ／Ｏインターフェース１２７と、ローカルエリアネットワークまたは広域エリアネットワーク（ＬＡＮ／ＷＡＮ）１０６に接続するＬＡＮインターフェース１２８とを備える。
さらに、このコンピュータシステム１００には、インターネットなどの公衆回線１０７に接続するためのモデム１０５が接続されるとともに、ＬＡＮインターフェース１２８およびＬＡＮ／ＷＡＮ１０６を介して、他のコンピュータシステム（ＰＣ）１１１、サーバ１１２並びにプリンタ１１３などが接続される。
そして、このコンピュータシステム１００は、所定の記録媒体に記録されたアプリケーション実行通知プログラムを読み出して実行することで携帯型端末装置のアプリケーション実行通知方法を実現する。
ここで、所定の記録媒体とは、フレキシブルディスク（ＦＤ）１０８、ＣＤ−ＲＯＭ１０９、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）１２４や、ＲＡＭ１２２、ＲＯＭ１２３などの「固定用の物理媒体」、さらに、モデム１０５を介して接続される公衆回線１０７や、他のコンピュータシステム１１１並びにサーバ１１２が接続されるＬＡＮ／ＷＡＮ１０６などのように、プログラムの送信に際して短期にプログラムを保持する「通信媒体」など、コンピュータシステム１００によって読み取り可能なアプリケーション実行通知プログラムを記録する、あらゆる記録媒体を含むものである。
すなわち、携帯型端末装置におけるアプリケーション実行通知プログラムは、上記した「可搬用の物理媒体」、「固定用の物理媒体」、「通信媒体」などの記録媒体に、コンピュータ読み取り可能に記録されるものであり、コンピュータシステム１００は、このような記録媒体からアプリケーション実行通知プログラムを読み出することにより携帯型端末装置におけるアプリケーション実行通知方法を実現するものである。
なお、アプリケーション実行通知プログラムは、コンピュータシステム１００によって実行されることに限定されるものではなく、他のコンピュータシステム１１１またはサーバ１１２がアプリケーション実行プログラムを実行する場合や、これらが協働してアプリケーション実行プログラムを実行するような場合にも、本発明を同様に適用することができる。
なお、本実施の形態では、携帯型端末装置として折り畳み型の携帯電話について説明したが、本発明はこれに限定されるものではなく、携帯に便利なモバイルツールとしてのノートパソコンやＰＤＡ（Ｐｅｒｓｏｎａｌ  Ｄｉｇｉｔａｌ  Ａｓｓｉｓｔａｎｔｓ）、電子手帳などインターネットの専用端末装置などにも同様に適用することができる。
以上説明したように、本発明によれば、開閉検出手段５０により、携帯電話１０のケースの開放が検出された際には、第１のタイマー時間が設定された第１のタイマー３０の起動が開始し、ケースの折り畳みが検出された際には、第２のタイマー時間が設定された第２のタイマー４０の起動が開始するので、携帯電話１０のケースを開けた際には、表示部６０などのアプリケーションの起動を即座におこなうことにより、もって使用者の利便性を向上することができるうえ、ケースを折り畳んだ際には、第１のタイマー時間よりも長く設定された第２のタイマー時間により表示部６０などのアプリケーションの終了を確実におこなうことにより、システム全体の安定および信頼性の向上を図ることができるという効果を奏する。
【産業上の利用可能性】  以上のように、本発明に係る携帯型端末装置、携帯型端末装置におけるアプリケーション実行通知方法およびアプリケーション実行通知プログラムは、携帯型端末装置におけるケースの開閉時間をタイマーにより制御するアプリケーション実行通知方法に適している。
【図１】
2004110032.tif 000003
【図２】
2004110032.tif 000004
【図３】
2004110032.tif 000005
【図４】
2004110032.tif 000006
【図５】
2004110032.tif 000007
【国際調査報告】
2004110032.tif 000008
2004110032.tif 000009